(57)【特許請求の範囲】
【請求項１】
情報端末の端末ＩＤと、前記情報端末により撮影された施設に関係する写真の画像ＩＤと、施設に設けられた基地局を特定する基地局ＩＤと、を情報端末から受信する送受信部と、
前記端末ＩＤと関連付けされているツアーＩＤにより特定されるツアー行程情報中から前記端末ＩＤを検索キーとしてツアーの立ち寄り先の施設の候補を検索するツアー情報処理部と、
得られたツアー行程情報のツアーでの立ち寄り先の施設の候補の中から立ち寄った施設を前記情報端末から得られた前記基地局ＩＤに基づいて特定し、前記基地局ＩＤにより特定される基地局を介して前記立ち寄った施設の店舗ＩＤにより特定される店舗から得られる店舗の関連情報と前記画像ＩＤにより特定される画像データとを関連付けする関連情報処理部と、
前記ツアー情報処理部、前記関連情報処理部の２つの処理部で処理された店舗の関連情報と前記画像ＩＤにより特定される画像データとを関連付けしていくことで、前記ツアーＩＤと前記端末ＩＤに関連付けされている登録ユーザＩＤとにより識別される個人毎のツアーのアルバム情報を作成するアルバム編成処理を行うアルバム編成部と
を有することを特徴とする電子アルバム作成装置。
【請求項２】
前記店舗の関連情報は、店舗のホームページにアクセスするための店舗アクセス情報を含み、
前記アルバム情報における前記店舗の関連情報と前記画像ＩＤにより特定される画像データとを関連付けに基づいて、前記画像データから前記店舗アクセス情報を介して前記店舗のホームページにアクセスすることで店舗における電子商取引のためのインターフェイスが形成されることを特徴とする請求項１に記載の電子アルバム作成装置。
【請求項３】
さらに、広告ＩＤと、店舗ＩＤと、広告にアクセスするための広告アクセス情報と、を有する店舗の広告情報を、前記店舗の広告情報と前記店舗の関連情報とを前記店舗ＩＤにより紐付けすることにより、前記店舗の関連情報と関連付けされた前記画像ＩＤにより特定される画像データに基づいて、前記広告アクセス情報を介して前記店舗の広告情報内の広告にアクセスするためのインターフェイスが形成されることを請求項１又は２に記載の電子アルバム作成装置。
【請求項４】
前記情報端末から取得されるアルバムレイアウトの変更情報に基づいて、前記アルバム情報におけるアルバムのレイアウトを変更することを特徴とする請求項１から３までのいずれか１項に記載の電子アルバム作成装置。
【請求項５】
画像データを取得する入力部と、ツアーの立ち寄り先の店舗に設置されている基地局により位置情報を取得する位置情報取得部と、前記画像データと前記位置情報とを含むアルバムデータをアルバム作成のための請求項１から４までのいずれか１項に記載の電子アルバム作成装置に送る送受信部と、を有し、
入力部からの電子アルバムのレイアウトの変更のためのユーザ操作に基づいて利用者変更処理部によりアルバムのレイアウト変更処理がなされると、前記送受信部から前記電子アルバム作成装置に向けて、変更されたレイアウト情報又は変更すべきレイアウト情報が送られ、前記電子アルバム作成装置内のアルバム情報が変更され、
さらに、前記電子アルバム作成装置から取得した前記アルバムデータの表示処理を行うアルバムデータ表示処理部を有することを特徴とする情報端末。
【請求項６】
さらに、店舗にアクセスするための店舗アクセス情報を取得し、前記画像の画像ＩＤにより特定される画像データと関連付けして前記送受信部より前記電子アルバム作成装置に送ることを特徴とする請求項５に記載の情報端末。
【請求項７】
請求項１から４までのいずれか１項に記載の電子アルバム作成装置と、
請求項５又は６に記載の情報端末と、を有する電子アルバム作成システム。
【請求項８】
情報端末の端末ＩＤと、前記情報端末により撮影された施設に関係する写真の画像ＩＤと、施設に設けられた基地局を特定する基地局ＩＤと、を情報端末から受信するステップと、
前記端末ＩＤと関連付けされているツアーＩＤにより特定されるツアー行程情報中から前記端末ＩＤを検索キーとしてツアーの立ち寄り先の施設の候補を検索するツアー行程情報検索ステップと、
得られたツアー行程情報のツアーでの立ち寄り先の施設の候補の中から立ち寄った施設を前記情報端末から得られた前記基地局ＩＤに基づいて特定するステップと、
前記基地局ＩＤにより特定される基地局を介して前記立ち寄った施設の店舗ＩＤにより特定される店舗から得られる店舗の関連情報と前記画像ＩＤにより特定される画像データとを関連付けする関連情報処理ステップと、
前記ツアー行程情報検索ステップ、前記関連情報処理ステップの２つのステップで処理された店舗の関連情報と前記画像ＩＤにより特定される画像データとを関連付けしていくことで、前記ツアーＩＤと前記端末ＩＤに関連付けされている登録ユーザＩＤとにより識別される個人毎のツアーのアルバム情報を作成するアルバム編集処理を行うアルバム編成ステップとを有することを特徴とする電子アルバム作成方法。
【発明の詳細な説明】
【技術分野】
【０００１】
本発明は、主に観光バスのパッケージツアー等における、電子アルバム作成技術に関する。
【背景技術】
【０００２】
従来、旅行中に撮影した写真の整理には手間がかかり、また、作成処理も煩雑である。また、写真は、デジタル化したものであっても、e-コマースなどの他業種のサービスとの連携が難しかった。
【０００３】
近年、デジタルカメラやムービーなど写真（静止画、動画を含む）を撮影することができる撮影機能と通信機能と位置取得機能とを備えた情報端末を用いたインターネット連携技術の発展により、写真に位置情報を付加し、通信により自動的にネットワーク上のサーバ、ＰＣなどにアップロードする仕組みや、提供された写真を自動的にアルバム化する機能を備えたシステムが市場において認知されつつある。
【０００４】
このようなアルバム自動作成技術については、旅行をする地域において、見る、食べる等の旅行テーマからなる基本情報を利用者が入力することで、事前に用意された素材データ、関連画像と撮影した写真の画像、位置、時間データで関連するものを自動でレイアウト設定する仕組みはすでに知られている。(下記特許文献１参照)。
【０００５】
また、観光バスを用いたシステムとしては、個人の所持するデジタルカメラなどの写真を観光バスの各座席に搭載されたモニタを通して共有し、アルバムを作成する仕組みも知られている(下記特許文献２参照)。
【０００６】
さらに、旅行の行程と連携したアルバム作成処理においては、観光地で撮影された写真をアンケート等から収集した行動履歴と対応付けてアルバムを作成するシステム、及び方法は知られている(下記特許文献３参照)。
【先行技術文献】
【特許文献】
【０００７】
【特許文献１】特開２００５‐０６３３０２号公報
【特許文献２】特開２００５‐３４６５７５号公報
【特許文献３】特開２００９‐１６９５４６号公報
【発明の概要】
【発明が解決しようとする課題】
【０００８】
ところで、観光バス等を用いたパッケージツアーでは、固定された日程の中で、数時間の自由時間やオプションでの料理の選択、場合によっては半日程度の小さなオプションツアーを組みこめる等、パッケージツアーでありながら、個人の希望を旅行行程の中に組み込めるようになり、従来の画一的なツアーとは異なる形態のツアー、すなわち、カスタマイズ可能なツアーが主流となっている。また、ツアーにおける立ち寄り先は同じでも、例えば同じアミューズメント施設内でも実際に訪れる施設や訪れる順番は異なるのが一般的である。
【０００９】
このようなカスタマイズ可能なツアーでは、個人それぞれのカスタマイズされた旅行行程に合わせたアルバム自動作成を行う場合に、利用者毎に異なる立ち寄り先の登録が必要になるなどの追加の処理が必要となり、また個人毎に異なる、立ち寄った店舗やお土産を購入した場所、食事内容等に関しては写真に関連付けしにくいため、アルバム内の写真のうち情報を関連付けできる写真は、パッケージツアー内で固定されている部分の写真のみに留まり、共通部分の思い出を見るアルバム以上のアルバムへの展開も難しい。
【００１０】
また既存の電子アルバム作成装置の仕組のうち、上記特許文献１のシステムでは、位置情報、時間等に依存させて写真をレイアウトするという点ではアルバムの自動作成が可能であるが、カスタマイズ可能なツアー等における、個人毎に異なる細かな立ち寄り先などの写真に関して位置情報、時間等に依存させて写真をレイアウトしようとすると、利用者による個人毎に異なる細かな立ち寄り先などの写真に関する位置情報、時間等の関連情報の登録が必要となり、この登録を自動化するための技術が示されていないという問題があった。
【００１１】
また、上記特許文献２のシステムでは、観光バスの各席に常設されたモニタを必須の構成とするため、バスを降りた後やホテルなどでの写真と関連情報との関連付けをすることができない。
【００１２】
さらに、上記特許文献３では、利用者のアンケート記入が必要であり、利用者の負担が大きくなる他、アンケート等の行動履歴は事後的に記入するものとなるため、リアルタイムなアルバム作成は難しいという問題がある。
【００１３】
加えて、上記３つの先行技術に共通する問題点として、思い出を見るためのアルバムに関してはある程度のものが作成できるが、アルバムからe-コマースなどの、行き先に関連する商品やサービスに後からアクセスして商品を購入したりすることに関する言及はない。
【００１４】
本発明の目的は、専用の端末、あるいは、専用のアプリをダウンロードした端末をツアー等に携帯し、これを用いて、位置情報、時間などが付加された写真を端末毎に保存し、旅行日程、観光地情報、店舗情報等の付随する関連情報と連携させた端末毎の電子アルバムの自動作成を行うことを目的とする。
【００１５】
さらに、写真に関連付けした付随する情報からｗｅｂで商品を購入したりサービスの申し込みをするe-コマースへのアクセスも可能とし、思い出から買い物等が可能な、電子アルバム自動作成、及び、e-コマース連携技術を提供することを目的とする。
【課題を解決するための手段】
【００１６】
本発明の一観点によれば、情報端末の端末ＩＤと、前記情報端末により撮影された施設に関係する写真の画像ＩＤと、施設に設けられた基地局を特定する基地局ＩＤと、を情報端末から受信する送受信部と、前記端末ＩＤと関連付けされているツアーＩＤにより特定されるツアー工程情報中から前記端末ＩＤを検索キーとしてツアーの立ち寄り先の施設の候補を検索するツアー情報処理部と、得られたツアー工程情報のツアーでの立ち寄り先の施設の候補の中から立ち寄った施設を前記情報端末から得られた前記基地局ＩＤに基づいて特定し、前記基地局ＩＤにより特定される基地局を介して前記立ち寄った施設の店舗ＩＤにより特定される店舗から得られる店舗の関連情報と前記画像ＩＤにより特定される画像データとを関連付けする関連情報処理部と、前記ツアー情報処理部、前記関連情報処理部の２つの処理部で処理された店舗の関連情報と前記画像ＩＤにより特定される画像データとを関連付けしていくことで、前記ツアーＩＤと前記登録ユーザＩＤとにより識別される個人毎のツアーのアルバム情報を作成するアルバム編成処理を行うアルバム編成部とを有することを特徴とする電子アルバム作成装置が提供される。
【００１７】
上記電子アルバム作成装置によれば、ツアー行程情報の中から立ち寄った施設を特定し、その施設の関連情報と施設を撮影した画像データとを関連付けして、電子アルバムを作成することができる。
【００１８】
前記店舗の関連情報は、店舗のホームページにアクセスするための店舗アクセス情報を含み、前記アルバム情報における前記店舗の関連情報と前記画像ＩＤにより特定される画像データとを関連付けに基づいて、前記画像データから前記店舗アクセス情報を介して前記店舗のホームページにアクセスすることで店舗における電子商取引のためのインターフェイスが形成されることを特徴とする。
【００１９】
さらに、広告ＩＤと、店舗ＩＤと、広告にアクセスするための広告アクセス情報と、を有する店舗の広告情報を、前記店舗の広告情報と前記店舗の関連情報とを前記店舗ＩＤにより紐付けすることにより、前記店舗の関連情報と関連付けされた前記画像ＩＤにより特定される画像データに基づいて、前記広告アクセス情報を介して前記店舗の広告情報内の広告にアクセスするためのインターフェイスが形成される。
【００２０】
前記情報端末から取得されるアルバムレイアウトの変更情報に基づいて、前記アルバム情報におけるアルバムのレイアウトを変更することを特徴とする。
【００２１】
本発明は、画像データを取得する入力部と、ツアーの立ち寄り先の店舗に設置されている基地局により位置情報を取得する位置情報取得部と、前記画像データと前記位置情報とを含むアルバムデータをアルバム作成のためのアルバム作成装置に送る送受信部と、を有し、入力部からの電子アルバムのレイアウトの変更のためのユーザ操作に基づいて利用者変更処理部によりアルバムのレイアウト変更処理がなされると、前記送受信部から前記電子アルバム作成装置に向けて、変更されたレイアウト情報又は変更すべきレイアウト情報が送られ、前記電子アルバム作成装置内のアルバム情報が変更され、さらに、前記電子アルバム作成装置から取得した前記アルバムデータの表示処理を行うアルバムデータ表示処理部を有することを特徴とする情報端末である。
【００２２】
さらに、店舗にアクセスするための店舗アクセス情報（と店舗における提供物一覧情報とを含む情報）を取得し、前記画像の画像ＩＤにより特定される画像データと関連付けして前記送受信部より前記電子アルバム作成装置に送ることを特徴とする。
【００２３】
本発明は、上記のいずれか１に記載の電子アルバム作成装置と、上記に記載の情報端末と、を有する電子アルバム作成システムである。
【００２４】
また、本発明は、情報端末の端末ＩＤと、前記情報端末により撮影された施設に関係する写真の画像ＩＤと、施設に設けられた基地局を特定する基地局ＩＤと、を情報端末から受信するステップと、前記端末ＩＤと関連付けされているツアーＩＤにより特定されるツアー工程情報中から前記端末ＩＤを検索キーとしてツアーの立ち寄り先の施設の候補を検索するツアー工程情報検索ステップと、得られたツアー工程情報のツアーでの立ち寄り先の施設の候補の中から立ち寄った施設を前記情報端末から得られた前記基地局ＩＤに基づいて特定するステップと、前記基地局ＩＤにより特定される基地局を介して前記立ち寄った施設の店舗ＩＤにより特定される店舗から得られる店舗の関連情報と前記画像ＩＤにより特定される画像データとを関連付けする関連情報処理ステップと、前記ツアー情報検索ステップ、前記関連情報処理ステップの２つのステップで処理された店舗の関連情報と前記画像ＩＤにより特定される画像データとを関連付けしていくことで、前記ツアーＩＤと前記登録ユーザＩＤとにより識別される個人毎のツアーのアルバム情報を作成するアルバム編集処理を行うアルバム編成ステップとを有することを特徴とする電子アルバム作成方法である。
【００２５】
本発明は、上記の電子アルバム作成技術をコンピュータに実行させるためのプログラムであっても良く、当該プログラムを記録するコンピュータ読みとり可能な記録媒体であっても良い。
【発明の効果】
【００２６】
本発明によれば、ツアーでの立ち寄り先の施設と撮影した画像データとを関連付けした電子アルバムを簡単に作成することができる。また、この電子アルバムにおいて、画像データから、施設の商品等や広告にアクセスして購入・参照等をすることができる。
【図面の簡単な説明】
【００２７】
【図１】本発明の一実施の形態による電子アルバム作成システム一構成例を示す機能ブロック図である。
【図２】情報端末装置の一構成例を示す機能ブロック図である。
【図３】電子アルバム作成中のツアー行程情報を格納するツアー行程情報ＤＢ内のデータの一構成例を示す図である。
【図４】電子アルバム作成中の情報端末の情報端末情報を格納する情報端末情報（格納）ＤＢ内のデータの一構成例を示す図である。
【図５】情報端末から送付されてきた写真を格納する写真ＤＢのデータの一構成例を示す図である。
【図６】立ち寄り先の施設及びその施設に設置された情報端末への位置情報提供手段を特定するための情報や施設のＵＲＬなどの関連情報を格納する関連情報ＤＢ内のデータの一構成例を示す図である。
【図７】電子アルバム内の写真に広告として挿入される広告情報を格納する広告情報ＤＢ内のデータの一構成例を示す図である。
【図８】本実施の形態による電子アルバム作成技術により作成された電子アルバムを構成するためのアルバム情報を格納するデータ構成図である。
【図９】電子アルバム作成装置（ホストシステム）が写真を受信してから、e-コマースサイトへの誘導が行われるまでの処理の流れの概要を示すフローチャート図である。
【図１０】本実施の形態による電子アルバム作成システムにより作成した電子アルバム（ｅ−ｂｏｏｋ）の画面表示例を示す図である。
【発明を実施するための形態】
【００２８】
本明細書における施設とは、店舗、駅、食事処、などの他、アミューズメントパーク、公園、城、湖、海、池、半島、などの種々の地物が含まれる。
【００２９】
以下、本発明の一実施の形態による電子アルバム作成技術について図面を参照しながら詳細に説明する。
【００３０】
図１は本発明の一実施の形態による電子アルバム作成システムのシステム構成例を示す機能ブロック図である。e-コマース連携のための構成も併せて示している。図１に示すように、本実施の形態による電子アルバム自動作成及びe-コマース連携システムは、ツアー行程情報データベース（ＤＢ）１０９、情報端末情報（格納）ＤＢ１１０、写真データＤＢ１１１、（ツアー）関連情報ＤＢ１１２、広告情報ＤＢ１１３、アルバム情報ＤＢ１１４などの写真とツアーに関連する種々の関連情報を格納するＤＢを備えた（或いは、ネットワーク接続された）、例えば旅行会社又はその関連会社等が運営するコンピュータなどからなるホストシステム１００と、観光バスや徒歩などによるツアーの立ち寄り先毎に設置された基地局１０５と、ホストシステム１００のアルバム情報に基づいて電子アルバムなどを表示するとともに、各種情報を変更する操作が可能な情報端末１０６と、e-コマースなどを運営するｅｃサイト（サーバ、インターネットショップ等）１２１と、を有して構成されている。情報端末１０６は、例えば、携帯電話機やスマートフォンのような携帯端末等である。基地局１０５は、バスや施設などにも設置可能なＷｉ−Ｆｉなどの基地局である。情報（携帯）端末１０６のキャリアの基地局であっても、基地局の位置情報などによりその施設を特定できる仕組みがあれば良い。情報端末１０６は、基地局１０５を通じてインターネット１０７に接続することができ、ホストシステム１００とも接続が可能である。
【００３１】
ホストシステム１００は、ツアー行程情報ＤＢ１０９の情報を基に、端末ＩＤと関連付けされているツアーＩＤにより特定されるツアー工程情報中から端末ＩＤを検索キーとしてツアーの立ち寄り先の候補を検索する処理を行うツアー情報処理部１０２と、ツアーに関連する関連情報ＤＢ１１２と広告情報ＤＢ１１３等を基に、電子アルバムの写真などと関連付けたい関連情報の写真との関連付けを含めた電子アルバム作成用処理を行う関連情報処理部１０３と、ツアー情報処理部１０２、関連情報処理部１０３の２つの処理部で処理されたデータと写真データＤＢ１１１のデータを用いて、実際の電子アルバムを編集するアルバム編集処理を行うアルバム編成部１０４と、インターネット１０７を介して、情報端末１０６や施設の基地局１０５やｅｃサイト１２１との間でのデータ等のやり取りを行う送受信部１０１と、を有する。また、ツアー情報処理部１０２、関連情報処理部１０３の２つの処理部で処理されたデータと写真データＤＢ１１１のデータと、広告データ情報等とに基づいて、写真をアイコン又はボタンのようにして、周知の技術により広告や関連情報のソースへアクセスできるように構成されている。
【００３２】
ツアー行程情報ＤＢ１０９では、個人によって変更された、例えば追加オプションとして提供される料理の情報なども反映することができるように、ユーザを識別するための登録ユーザＩＤ３０４を持ち、情報端末情報格納ＤＢ１１０に保存された個人の選択情報を参照可能である。電子アルバム作成処理が完了した後は、ツアー情報、写真に関連付けされた関連情報とともにアルバム情報ＤＢ１１４内に保存され、関連情報ＤＢ１１２内の関連情報に基づいてe-コマース１２１にアクセスできるようになっている。また、完成した電子アルバムやe-コマース１２１へのアクセスは、ツアー終了後などにユーザの情報端末（情報端末１０６でも良いし別の端末でも良い）からホストシステム１００にアクセスすることで参照したり、写真をダウンロードしたり、e-コマース１２１にアクセスしたりすることができる。
【００３３】
図２は、情報端末１０６の内部構成例を示す機能ブロック図である。情報端末１０６は、ツアー時に貸し出して、ツアー終了後に回収するのが一般的であるが、ユーザの情報端末１０６に、以下に説明するような構成と処理を行わせるためのプログラムをインストールするようにしても良い。
【００３４】
入力部（カメラ、ムービーなどの撮影部の他にキー操作などを行う操作部も含む）２０５で写真を撮影し、そこに位置情報取得部（基地局の位置情報に基づくもの、ＧＰＳにより位置情報を取得するもの等がある。）２０４で取得した現在位置情報を関連付けしたデータが、送受信部（通信部）２０７からホストシステム１００に送られる。ＰＢＳ部（位置情報取得部）２０４は、店舗に設置されている基地局により、位置を特定することも可能である。また、この情報端末１０６で、完成後のアルバム情報をホストシステム１００から取得すると、送受信部２０７で受け取ったこのデータを、アルバムデータ格納部２０８で保持し、データ処理部２０１内のアルバムデータ表示処理部２０２で表示制御のための処理がなされた後に、表示部（ディスプレイ）２０６に表示することができるようになっている。電子アルバムのレイアウト等を変更したい場合には、入力部（操作部）２０５からのユーザ操作等に基づいて利用者変更処理部２０３によりレイアウト変更処理がなされ、再度、アルバムデータ表示処理部２０２で処理されて表示部２０６に表示された後、送受信部２０７からホストシステム１００に変更された情報（又は変更すべき点に関する情報）が送付され、ホストシステム１００内のアルバム情報（個人毎に区別されている）が変更される。
【００３５】
図３は、パッケージツアーの行程情報を格納するツアー行程情報ＤＢ１０９のデータ構成例を示す図である。図３に示すデータに関しては、一般的には、外部、例えば旅行会社などから既に入力されて、データは完成している。ツアー行程情報は、電子アルバム作成にあたり、ツアーを一意に認識するためのツアーＩＤ３０１と、事前に判明している範囲での立ち寄り先である予定する行程３０２と、ツアー全体の日程３０３と、登録ユーザＩＤ３０４と、を有している。予定する行程３０２は、さらに、各行程毎に細分化されており、各行程ＩＤ３０５毎に、地域名（ＩＤ）３０６、店舗名（観光地名、施設名）３０７、訪問予定日時３０８などが含まれる。この行程情報は、後述する図６の関連情報と結びつけられる。
【００３６】
図４は、情報端末１０６から送られてきた情報を格納する情報端末情報（格納）ＤＢ１１０のデータ構成例を示す図である。図４に示すデータは、端末ＩＤ４０１毎に（すなわち、情報端末を所持するツアー参加者又は参加グループ毎に）格納され、ツアー終了後は、ツアーＩＤ４０２以下の情報が、アルバム情報ＤＢ１１４内に保存され、すべて書き変わるようになっている。
【００３７】
図４に示すように、情報端末情報ＤＢ１１０のデータ構成としては、情報端末を一意に識別する端末ＩＤ４０１と、ツアーＩＤ４０２と、情報端末は貸し出されたものである場合を考慮して登録ユーザを一意に識別する登録ユーザＩＤ４０３と、ツアーの立ち寄り先である店舗名、製品名等ＳＳやオプションの料理名等のお気に入り情報、すなわち、カスタマイズされた情報を示すお気に入り情報４０４と、上記のように、情報端末１０６の操作部２０５等からの操作などにより変更指示されたアルバムレイアウト変更情報４０５と、を有している。
【００３８】
図５は、情報端末１０６から送られてきた写真を格納する写真ＤＢ１１１の一構成例を示す図である。図５に示す写真ＤＢ１１１において、端末ＩＤ５０１と登録ユーザＩＤ５０２は図４の携帯端末情報１１０に基づく情報であり、端末ＩＤ５０１と登録ユーザＩＤ５０２との組により、どのツアーの参加者のうち誰が取った（どの情報端末により撮影された）写真であるかを特定することができる。このように構成することにより、例えば、情報端末１０６内の情報が書き変わった後（異なるツアー又は日時の異なるツアーで情報端末１０６が貸し出された後）にも、登録ユーザＩＤ５０２で識別することで、登録ユーザへの写真の提供等が可能となる。
【００３９】
さらに、画像を一意に特定する画像ＩＤ５０３と、ｊｐｅｇ、ｍｐｅｇなどの画像（動画を含む）データ属性５０４と、写真を撮影した位置を示す位置情報５０５と、撮影日時情報５０６と、データが配信された基地局を特定する基地局ＩＤ５０７とが、１つの画像ＩＤ（５０３−１）、すなわち、一般的に一枚の写真又は同じ施設で撮影された一連の写真等に対して関連付けされている。別の画像ＩＤ（５０３−２）を持つ別の写真についても、同様に、画像データ属性５０４と、写真を撮影した位置を示す位置情報５０５と、撮影日時情報５０６と、データが配信された基地局を特定する基地局ＩＤ５０７とが関連付けされている。
【００４０】
図６は、ツアーにおける立ち寄り先の周辺施設などの、ツアーにおいて写真と関連付けされた関連情報を格納する関連情報ＤＢ１１２のデータ構成例を示す図である。この関連情報ＤＢ１１２の関連情報は、電子アルバムに挿入され、電子アルバム作成処理時に付属情報として提供される。例えば横浜の歴史など、店舗や施設と関係ない情報もここに格納され、電子アルバムを内容的に充実させ電子アルバムをより魅力的なものとするための情報も提供される。そのために、まず、関連情報を分類する関連情報分類データ６０１が設けられている。ここでは、小売りということで、店舗における商品に関連する情報の例を示している。
【００４１】
さらに、横浜などの地域を一意に識別する地域ＩＤ６０２と、店舗、観光地などを一意に識別する店舗ＩＤ６０３と、店舗のＵＲＬ（店舗のホームページ等のアクセス先等）６０４と、店舗の住所６０５と、店舗で提供された提供物一覧（お土産屋などの店舗の場合は売られている商品を提供物一覧のそれぞれのＩＤ）６０６と、店舗毎に設置されている基地局（位置情報取得手段を兼ねた店舗の基地局と情報端末との通信の中継手段）を識別する基地局ＩＤ６０７と、が設けられている。
【００４２】
基地局ＩＤにより特定される基地局による中継通信により、例えば気に入った商品やお気に入りの情報なども収集出来るようにしている。また、店舗ＵＲＬ６０４も有することにより、後述するe-コマース１２１へのアクセスや、電子アルバム内の写真に関連する、より詳細な情報をさらにみたい場合に、店舗ＵＲＬへアクセスすることができる。
【００４３】
図７は、電子アルバムに広告として挿入される情報をまとめた広告情報ＤＢ１１３内のデータ構成例を示す図である。広告情報ＤＢ１１３内の広告情報は、広告を一意に識別する広告ＩＤ７０１、７０１−２、…と、それぞれの広告ＩＤ毎に設けられた、店舗ＩＤ７０２（図６の店舗ＩＤ６０３と関連する）と、商品名７０３（図６の提供物ＩＤと関連する）と、画像ＩＤ７０４（図５の画像ＩＤ５０３と関連する）と、メッセージ７０５と、広告ＵＲＬ７０６（広告にアクセスするためのＵＲＬ）と、広告のサイズ７０７と、広告の掲載期間（有効期限）７０８とが、含まれる。この広告情報の広告ＵＲＬ７０６に基づいて、e-コマース１２１に接続することができる。尚、メッセージ７０５、広告のサイズ７０７、掲載期間７０８の情報は、例えば電子アルバム挿入、レイアウト作成の際に用いられ、メッセージを挿入したり、広告サイズを自動的に決めたり、広告の有効期限に基づいて広告を自動的に掲載、消去したりするための自動化を実現するために用いられる。
【００４４】
図８は、完成したアルバム情報を格納するアルバム情報ＤＢ１１４のデータ構成の一例を示す図である。図８に示すように、アルバム情報は、ツアーＩＤ８０１（図３のツアーＩＤ３０１と関連付けされている）と、登録ユーザＩＤ８０２（図３の登録ユーザＩＤ３０４と関連付けされている）と、画像ＩＤ８０３（図５の画像ＩＤ５０３と関連付けされる）と、画像ＩＤ８０３毎に、お気に入り情報８０４（図４のお気に入り情報４０４、図６の提供物一覧６０６と関連付けされる）、アルバムレイアウト情報８０５（図４のアルバムレイアウト変更情報４０５により変更されうる）、広告ＩＤ又は広告ＵＲＬ８０６（図７の広告ＵＲＬ７０６と関連付けられる）が設けられる。
【００４５】
すなわち、図３から図７までの情報に基づいて、図８のアルバム情報が構成されており、図８のアルバム情報の各項目から、図３から図７までの各情報を参照しながら、画像ＩＤ毎に整理された電子アルバムを構成するための情報を得ることができる。ここで、電子アルバム（ｅ−ｂｏｏｋのような形態）が、ＤＶＤなどの媒体（メディア）によって提供される場合には、広告ＩＤ又は広告ＵＲＬ８０６が、ＤＶＤのデータ領域に挿入され、ＤＶＤのデータに基づいてｅ−コマースに接続するため、広告のＵＲＬも情報として保持していることが好ましい。
【００４６】
尚、ＤＢ１０９〜１１３までのデータは、基本的に新しい情報が得られると更新されるものであるが、アルバム情報ＤＢ１１４内のデータは、基本的にはユーザの要求に応じて過去のツアーの電子アルバムを作成するためのテンプレートとなるような情報であり、長期的に保存される性質の情報である。ツアー終了後に、電子アルバムとして旅行者に提供された後に、後日、電子アルバムから関連情報ＤＢ１１２内のデータ等を通じて、e-コマース１２１等にアクセスすることができる。その際には、ＤＢ１０９〜１１３までのデータは、基本的に新しい情報に更新され、例えば販売中止になった商品等は、販売がされていない旨がわかるようになっている。
【００４７】
図９は、ホストシステム１００が情報端末１０６から写真を受信してから、e-コマースサイト１２１へアクセスする動作が行われるまでの一連の処理の流れの例を示すフローチャート図である。
【００４８】
まず、情報端末１０６から写真が送付され、ホストシステム１００で受信することで、本電子アルバム作成装置の処理が開始する（ステップ９００）。受信した写真は、まず写真データＤＢ１１１内に格納され(ステップ９０１)、写真に付属していた端末ＩＤ５０１と関連する登録ユーザＩＤ５０２から、ツアー情報処理部１０２がツアー行程情報ＤＢ１０９を検索して、該当するツアー（図３のツアーＩＤ３０１）を抽出する(ステップ９０２)。そして、関連情報処理部１０３が、図３のツアー行程情報ＤＢ１０９から、ツアーで立ち寄る先やその周りの関連情報３０３を検索し、写真以外の電子アルバムに挿入する情報を収集する。この際、図４の情報端末情報１１０、図６の関連情報ＤＢ１１２、図７の広告情報ＤＢ１１３等を参照して、実際に立ち寄った店舗や店舗の広告などの位置情報や商品情報等も店舗に設けられた基地局１０５を介して入手する(ステップ９０３)。
【００４９】
ツアー情報処理部１０２がステップ９０３で収集した情報と、関連情報処理部１０３が図５に示す写真データＤＢ１１１の位置情報５０５や日時５０６、基地局ＩＤ５０７と、を参照して、アルバム編成部１０４が、図８に示すアルバム情報を作成する。この際、ツアーＩＤ８０１は、図３のツアーＩＤ３０１と関連付けされ、登録ユーザＩＤ８０２は、図３の登録ユーザＩＤ３０４と関連付けされ、画像ＩＤ８０３は、図５の画像ＩＤ５０３と関連付けされ、画像ＩＤ８０３毎に、お気に入り情報８０４は、図４のお気に入り情報４０４、図６の提供物一覧６０６と関連付けされ、アルバムレイアウト情報８０５は、図４のアルバムレイアウト変更情報４０５により変更され、広告ＩＤ又は広告ＵＲＬ８０６は、図７の広告ＩＤ７０１又は店舗ＵＲＬ（広告ＵＲＬと同じ）に関連付けされるため、ＤＢ１０９から１１３までにより、アルバム情報ＤＢ１１４を作成することができる。そこで、レイアウトや挿入する広告を決めて電子アルバム作成を行う(ステップ９０４)。
【００５０】
ここまで処理が進むと、追加の写真がないか否かを検索し(ステップ９０５)、写真が追加されている場合は（Ｙ）、ホストシステム１００に送信して追加し、ステップ９０１からの電子アルバム作成までの処理を繰り返す。また写真が追加されていない時は（Ｎ）、情報端末１０６からのアルバム配信要求がないかを確認し(ステップ９０６)、要求があった場合には（Ｙ）、アルバム情報を情報端末１０６に送信する(ステップ９０７)。アルバム配信要求がない場合は（Ｎ）、ステップ９０５に戻る。
【００５１】
ステップ９０７のアルバム情報の送信後に、情報端末１０６から電子アルバムにおける写真等のレイアウト変更の要求があった場合(ステップ９０８)、変更を踏まえて再度電子アルバムを作成する（Ｙでステップ９０４に戻る）。
【００５２】
電子アルバムが完成した(ステップ９０９)後は、電子アルバムに挿入した広告などの関連情報へ接続要求がユーザ端末（ＰＣなど）からあった場合に、e-コマースサイト１２１へアクセス（誘導）する(ステップ９１１)。
【００５３】
上記の処理により、ツアーのカスタマイズされた部分も、基地局等の位置情報を介して写真と施設等を関連付けした電子アルバムを作成することができる。また、電子アルバムから、写真と関連付けされた施設のホームページのＵＲＬ、広告のＵＲＬに基づいて商品等を購入するためのサイト、例えばe-コマースサイト１２１へアクセス（誘導）することで、欲しい商品等を簡単に購入するような仕組みとすることができる。例えば、表示された画像をボタンとして、そのボタンをクリック等することで、自動的に、店舗のホームページや商品等の広告のための頁にアクセスすることができるようにすることで、電子アルバムに含まれる画像と関連する商品を簡単に購入することができる。
【００５４】
図１０は、本実施の形態による電子アルバム作成システムにより作成した電子アルバム（ｅ−ｂｏｏｋ）のＰＣ上等における画面表示例を示す図である。図１０に示すアルバム表示（画面表示）１０００は、例えばツアーＩＤ８０１に基づいて特定される行き先を示す「○○ツアーの思い出」などのタイトル（１００３）がツアーＩＤ８０１に基づいて表示される。図３には示されていないが、ツアーＩＤ８０１（３０１）を介してツアー名を予め取得しておけば良い。
【００５５】
また、画面表示１００１においては、アルバム情報ＤＢ１１４のツアーＩＤ８０１から、図３のツアー行程情報ＤＢを呼び出し、例えばＧＰＳ部２０４等から取得した立ち寄り先の位置情報を基に、図５も参照して、ツアー全体の地図（ツアーが複数の地域に跨っておこなわれる場合には、その一部でも良い）、すなわち、立ち寄り先のポイントＰ１、Ｐ２等を含む地図１００３を一般的な地図ソフトウェア等を利用して作成し、さらに、ツアーの行程のコース１００４と、立ち寄り先１００５（Ｐ１）、１００７（Ｐ２）等の代表的な写真（インデックスとして用いる）を図８のアルバム情報ＤＢ１１４の画像ＩＤ８０１に基づいて表示させても良い。
【００５６】
また、画面表示１０１０においては、例えば、ＰＣのポインタなどにより指示した地点（例えば１００５（Ｐ１）の写真１）等をポイントすることで、そのポイントＰ１における写真一覧（サムネイル等の縮小写真でも良い）として、写真（１ａ）１０１１、写真（１ｂ）１０１３、…を表示させることができるようにしても良い。また、スライドショー１０１５ボタンを設けておき、その地点Ｐ１の複数の写真を順番に表示させるようになっている。ここで、例えば画面表示１００１の地図で写真、例えば写真（１）を選択すると、図８の画像ＩＤ８０３と同じ画像ＩＤ５０３をもつ図５の位置情報５０５を検索し、その位置情報５０５と同じ又はその近傍の一情報を持つ写真一覧の表示１０１０（写真（１ａ）１０１１，写真（１ｂ）１０１３、…）が行われる。また、スライドショー１０１５ボタンを押すと、写真（写真（１ａ）１０１１、写真（１ｂ）１０１３、…）が順番にスライドのように表示されるようになっている。
【００５７】
画面表示１０２０は、広告表示画面の一例を示しており、立ち寄り先の位置情報を基に、広告を選んで表示している。広告の選択処理は、例えば、現在、画面表示１００１において写真（１）の位置１００５（Ｐ１）を選択状態とし（ポイントし）、画面表示１０１０において写真１ａ、１ｂが表示されている場合には、地図１００３の写真（１）１００５の位置Ｐ１が特定されていることになり、図５と図７とで同じ画像ＩＤをもつ図７の広告ＤＢ１１３のデータに基づいて、画面表示１００１における位置情報と同じ位置に関する広告を特定することで、立ち寄り先の位置情報を基に特定の広告ＩＤ７０１を持つ広告を図７から選択して、図７の商品名７０３、メッセージ７０５等をベースに説明文１０２３等を表示させることができる。広告画像１０２１は、画像ＩＤ７０４の画像でも良いが、別途、広告ＵＲＬから取得しておいた広告の画像を表示させるのがより好ましい。
【００５８】
さらに、画面表示１０３０は、アルバム情報ＤＢ１１４の広告ＵＲＬ８０６から、ｅ−コマーズにアクセスして、広告ＩＤで特定される商品等を購入できるインタフェイスを表示させる（購入サイトにアクセスする）ためのボタン（アイコン）１０３１を表示させている。
【００５９】
画面表示を１画面に表示させても良いし、切り替えて複数画面に表示させるようにしても良い。
【００６０】
このように、図１０に示すアルバムでは、ツアーの地図、写真（画像）、広告、ｅ−コマースへのアクセスボタンを一括して１画面に表示させたり、或いは、画面を切り替えて表示させたりすることにより、ツアーの行程や地図、写真を確認しながら、そして、ツアーの思い出を辿りながら、行程毎に写真を参照して楽しむことができる。また、ツアーの行程におけるある位置の写真とその近傍の店舗等の広告の情報も参照しながら、インターネットなどの購入サイトへアクセスすることで、ツアーで購入して良かった商品を再度購入したり、ツアーでは買いそびれてしまった商品を購入したりすることができる。また、ツアーで出会った人、ツアーに行けなかった人などに、お気に入りの商品を送ったりすることが簡単にできる。
【００６１】
以上に説明したように、本実施の形態による電子アルバム作成装置では、ツアーでの立ち寄り先の施設と撮影した画像データとを関連付けした電子アルバムを簡単に作成することができる。また、この電子アルバムにおいて、画像データから、施設や店舗の商品等や広告等にアクセスして、商品の購入・サービスの提供を受けるための申し込みをしたり、情報の参照をしたりすることができる。
【００６２】
尚、上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。
【産業上の利用可能性】
【００６３】
本発明は、電子アルバム作成システムとして利用することができる。
【符号の説明】
【００６４】
１００…ホストシステム、１０１…送受信部、１０２…ツアー情報処理部、１０３…関連情報処理部、１０４…アルバム編成部、１０５…基地局、１０６…情報端末、インターネットショップ等）、１０７…インターネット、１０９…ツアー行程情報データベース（ＤＢ）、１１０…情報端末情報ＤＢ、１１１…写真データＤＢ、１１２…（ツアー）関連情報ＤＢ、１１３…広告情報ＤＢ、１１４…アルバム情報ＤＢ、１２１…ｅｃサイト（サーバ）。
【図１】
0005762143.tif 000002
【図２】
0005762143.tif 000003
【図３】
0005762143.tif 000004
【図４】
0005762143.tif 000005
【図５】
0005762143.tif 000006
【図６】
0005762143.tif 000007
【図７】
0005762143.tif 000008
【図８】
0005762143.tif 000009
【図９】
0005762143.tif 000010
【図１０】
0005762143.tif 000011